(57)【要約】【課題】側板の前後幅寸法が異なる引出であっても側板の上方空間を閉塞することができる引出の追加閉塞体を提供すること。【解決手段】キャビネット１に収納され、上方に開口する略箱状であって、側板１４の上下幅寸法が前板１６と後板１５との上下幅寸法よりも短寸に形成されてなる引出１０の、側板１４の上方空間を閉塞する引出１４の追加閉塞体２３であって、追加閉塞体２３は、側板１４の上方に配置される閉塞本体２４と、閉塞本体２４の前後端部の少なくとも一方が挿入される保持体２５と、から構成され、保持体２５への閉塞本体２４の挿入量を調整することで、追加閉塞体２３の前後幅寸法を変更する。【選択図】図３
2010220707.tif 000002
【特許請求の範囲】
【請求項１】
キャビネットに収納され、上方に開口する略箱状であって、側板の上下幅寸法が前板と後板との上下幅寸法よりも短寸に形成されてなる引出の、側板の上方空間を閉塞する引出の追加閉塞体であって、
前記追加閉塞体は、前記側板の上方に配置される閉塞本体と、該閉塞本体の前後端部の少なくとも一方が挿入される保持体と、から構成され、該保持体への前記閉塞本体の挿入量を調整することで、前記追加閉塞体の前後幅寸法を変更することを特徴とする引出の追加閉塞体。
【請求項２】
前記保持体は透光性を有することを特徴とする請求項１に記載の引出の追加閉塞体。
【請求項３】
前記側板の上方には、前後方向を向く支持棒が前記引出の前記前板と前記後板との間に亘って設けられており、前記保持体は前記支持棒に支持されることを特徴とする請求項１または２に記載の引出の追加閉塞体。
【請求項４】
前記保持体は、前記閉塞本体の前端部を保持する前端部保持体と、前記閉塞本体の後端部を保持する後端部保持体と、を備えることを特徴とする請求項３に記載の引出の追加閉塞体。
【発明の詳細な説明】
【技術分野】
【０００１】
本発明は、引出の側板に着脱可能に取り付けられ、側板の上方空間を閉塞する引出の追加閉塞体に関する。
【背景技術】
【０００２】
従来、引き出し（引出）としては、底板と背板と前板と両側の側板とで上面が開口する各箱状に形成されており、側板を他のサイズの引き出しと共通化するために、側板の上下幅寸法が前板と後板との上下幅寸法よりも短寸に形成され、側板の上方には前板と背板とに端部が結合された棧材（支持棒）が配置されている構造のものが知られている。このような引き出しにおいては、下端部に側板の上端部に嵌合する嵌合凹部を有する板状の側部カバー（閉塞本体）と、側部カバーの上端部に、棧材に嵌合させる棧取り付け部を有するクリップ（保持体）と、を備え、棧材にクリップの棧取り付け部を嵌合させるとともに、嵌合凹部を側板の上端部に嵌合させることで、側部カバーによって側板の上端部と棧材との間の側面開口を覆い、引き出しの側方から収納物が飛び出してしまうことを防止している（例えば、特許文献１参照）。
【先行技術文献】
【特許文献】
【０００３】
【特許文献１】特許３９９１９８４号公報（第３頁、第５図）
【発明の概要】
【発明が解決しようとする課題】
【０００４】
しかしながら、特許文献１にあっては、側板の前後幅寸法が側部カバー（閉塞本体）の前後幅寸法と異なる場合には、側板の前後幅寸法に合わせた側部カバーを新規に製造する必要があるため、側部カバーの製作コストが嵩んでしまうという問題があった。
【０００５】
本発明は、このような問題点に着目してなされたもので、側板の前後幅寸法が異なる引出であっても側板の上方空間を閉塞することができる引出の追加閉塞体を提供することを目的とする。
【課題を解決するための手段】
【０００６】
前記課題を解決するために、本発明の引出の追加閉塞体は、
キャビネットに収納され、上方に開口する略箱状であって、側板の上下幅寸法が前板と後板との上下幅寸法よりも短寸に形成されてなる引出の、側板の上方空間を閉塞する引出の追加閉塞体であって、
前記追加閉塞体は、前記側板の上方に配置される閉塞本体と、該閉塞本体の前後端部の少なくとも一方が挿入される保持体と、から構成され、該保持体への前記閉塞本体の挿入量を調整することで、前記追加閉塞体の前後幅寸法を変更することを特徴としている。
この特徴によれば、追加閉塞体の前後幅寸法を前後幅寸法の異なる各種引出の側板の前後幅寸法に合わせることができるので、引出毎に引出の側板の前後幅寸法に合う新たな追加閉塞体を製作するコストを抑えて側板の上方空間を閉塞することができるばかりか、保持体への閉塞本体の挿入量を調整することで追加閉塞体の前後幅寸法を変更することができる。
また、保持体から閉塞本体を引き出すことで各保持体と閉塞本体との交換等のメンテナンスを容易に行うことができる。
【０００７】
本発明の引出の追加閉塞体は、
前記保持体は透光性を有することを特徴としている。
この特徴によれば、保持体への閉塞本体の挿入量を視認することができ、追加閉塞体の前後幅調整を容易に行うことができる。
【０００８】
本発明の引出の追加閉塞体は、
前記側板の上方には、前後方向を向く支持棒が前記引出の前記前板と前記後板との間に亘って設けられており、前記保持体は前記支持棒に支持されることを特徴としている。
この特徴によれば、追加閉塞体を保持体を介して支持棒に確実に支持させることができる。
【０００９】
本発明の引出の追加閉塞体は、
前記保持体は、前記閉塞本体の前端部を保持する前端部保持体と、前記閉塞本体の後端部を保持する後端部保持体と、を備えることを特徴としている。
この特徴によれば、閉塞本体は前端部と後端部とを前端部保持体と後端部保持体とを介して支持棒に支持されるので、上下方向に揺動することなく側板の上方空間を閉塞することができる。
【図面の簡単な説明】
【００１０】
【図１】引出が設けられたシステムキッチンを示す斜視図である。
【図２】引出を示す一部分解斜視図である。
【図３】引出に取り付けられた追加閉塞体を示す一部拡大断面図である。
【図４】追加閉塞体を示す正面図である。
【発明を実施するための形態】
【００１１】
本発明に係る引出の追加閉塞体を実施するための形態を実施例に基づいて以下に説明する。
【実施例】
【００１２】
実施例に係る引出の追加閉塞体につき、図１から図４を参照して説明する。図１の符号１は、家庭内のキッチン等に設けられる本発明におけるキャビネットとしてのシステムキッチンである。このシステムキッチン１には、上部右側に使用者が食器等を洗うのに使用するシンク部２と、上部中央にシステムキッチン１上での作業スペース３と、上部左側に調理を行うためのコンロ部４と、が設けられている。
【００１３】
また、システムキッチン１の下部は食器や食材等を収納しておくための収納部５が設けられている。具体的には、シンク部２の下部には引出６，７、作業スペース３の下部には引出８，９，１０、コンロ部４の下部には引出１１，１２がそれぞれ上下に連設されている。以下、この収納部５に設けられた引出１０について説明する。
【００１４】
以下、引出１０がシステムキッチン１の収納部５内に取り付けられている状態において、引出１０の右側とは、使用者がシステムキッチン１の正面側に立って右側のことであり、引出１０の左側とは、使用者がシステムキッチン１の正面側に立って左側のことであり、引出１０の後方側とは、システムキッチン１を挟んで前方側と対向する側のことであるものとする。
【００１５】
図２に示すように、引出１０は、底板１３と、この底板１３の左右両端に取り付けられる一対の側板１４と、これら底板１３と側板１４との後端に取り付けられる後板１５と、これら底板１３と側板１４との前端に取り付けられる前板１６とを備えている。また、前板１６の正面には、使用者が掴む把手１７が取り付けられており、引出１０は上面が開口した略四角箱状に形成されている。
【００１６】
引出１０におけるこれら底板１３と左右一対の側板１４と後板１５と前板１６とにより囲まれた空間は、例えば食器や調理器具等を収納するための収納空間Ｓに構成されている。また、側板１４の上下幅寸法は、前板１６及び後板１５の上下幅寸法よりも短く形成されている。更に、側板１４の上方には、前後端が前板１６と後板１５とに支持された円筒状の支持棒１８が前後方向に向いて渡設されている。
【００１７】
尚、図３に示すように、側板１４はアルミやステンレス等の板材の曲げ加工により形成された部材であり、その内部は中空となっている。更に、側板１４の下部にはスライドレール１９が設けられている。
【００１８】
これらのスライドレール１９は、一端側がシステムキッチン１の収納部５を縦に仕切る本体側の仕切板２１に螺子で螺着された板片２０の屈曲された他端側に摺動可能に係合されており、これらスライドレール１９及び板片２０により、引出１０はシステムキッチン１に対して前後方向に移動自在に案内されている。
【００１９】
そして、左右の両支持棒１８には、側板１４と支持棒１８との間に形成された上方空間２２を閉塞するための追加閉塞体２３が取り付けられるようになっており、収納空間Ｓ内に収納されている皿や調理器具等の収納物が引出１０の側方から飛び出してしまうことを防止している。
【００２０】
以下、引出１０は左右対称構造であり、左右の支持棒１８に取り付けられる追加閉塞体２３は同一構成のため、引出１０の右側部及び右の支持棒１８に取り付けられる追加閉塞体２３についてのみ説明する。
【００２１】
図３及び図４に示すように、追加閉塞体２３は、本発明における閉塞本体としての側面視方形状に形成されている閉塞板２４と、この閉塞板２４を保持し支持棒１８と側板１４の間に閉塞板２４を固定する保持体２５と、から構成されている。より具体的には、保持体２５は、閉塞板２４を前端部側で保持する前端部側保持体２６と後端部側で保持する後端部側保持体２７とから成っている。これら前端部側保持体２６と後端部側保持体２７とは、透光性と弾性とを有する硬質プラスチックから構成されている。
【００２２】
これら前端部側保持体２６と後端部側保持体２７のうち、前端部側保持体２６は、後方に向けて挿入孔２８が形成されている。また、後端部側保持体２７は、前方に向けて挿入孔２９が形成されている。これら挿入孔２８，２９は、上下幅寸法が閉塞板２４の上下幅寸法と略同一となるように形成されており、挿入孔２８は閉塞板２４の前端部が、挿入孔２９には閉塞板２４の後端部がそれぞれ挿入可能となっている。
【００２３】
そして、閉塞板２４は、前端部の挿入孔２８に対する挿入量と後端部の挿入孔２９に対する挿入量とを変化させることにより、追加閉塞体２３の前後幅寸法を最短長さＬ１から最長長さＬ２にかけての間で調整可能となっている。尚、閉塞板２４の前端部と後端部は、挿入孔２８，２９の内壁からの摩擦力や挟持力により挿入量を固定させることができ、追加閉塞体の前後幅寸法を維持可能となっている。
【００２４】
また、前端部側保持体２６と後端部側保持体２７とは、支持棒１８に係合するためのフック部３０を上端部に備えている。これらフック部３０を支持棒１８に上方から係合させることにより、前端部側保持体２６と後端部側保持体２７とは支持棒１８に吊持される。
【００２５】
更に、前端部側保持体２６と後端部側保持体２７との下端部には、前端部側保持体２６と後端部側保持体２７との前後方向略全長に亘って下方に開口する嵌合凹部３１が形成されている。これら嵌合凹部３１は、側板１４の上端部と補形に形成されており、前端部側保持体２６と後端部側保持体２７とのフック部３０が支持棒１８に吊持されると同時に、側板１４の上端部に嵌合するようになっている。
【００２６】
つまり、追加閉塞体２３は、前端部側保持体２６と後端部側保持体２７とのフック部３０による支持棒１８への係合と、嵌合凹部３１による側板１４の上端部への嵌合とによって上方空間２２に閉塞板２４を配置し、この閉塞板２４によって上方空間２２を閉塞するようになっている。
【００２７】
このとき、前述したように、予め側板１４の前後幅寸法に合わせて閉塞板２４の前端部と後端部との前端部側保持体２６と後端部側保持体２７への挿入量を調整することによって、側板１４の前後幅寸法の異なる各種引出１０の上方空間２２の閉塞に対応することができる。
【００２８】
尚、本実施例では、前述したように保持体２５を前端部側保持体２６と後端部側保持体２７とで構成し、閉塞板２４の前端部と後端部とを挿入孔２８，２９に挿入させることで、閉塞板２４を保持したが、前端部側保持体２６と後端部側保持体２７とのいずれか一方のみで閉塞板２４を保持し、片持ち支持された閉塞板２４によって上方空間を閉塞するようにしてもよい。
【００２９】
更に尚、前述したように、追加閉塞体２３は、閉塞本体２４を保持体２５に挿入する構造で部品分割しているため、閉塞本体２４には、長手方向に断面形状が同一の部材を使用することができる。その上、板状で断面長方形状や棒材で断面円形等、様々な形状デザインに対応することができるとともに、フック部３０や嵌合凹部３１を保持体２５に形成しているため、閉塞本体２４には、長尺材部材を所定の前後幅寸法に切断するだけで使用することができ、複雑加工の必要のない樹脂、金属、ガラス、木材等の様々な材料で閉塞本体２４を構成することができる。
【００３０】
以上、本実施例における引出１０の追加閉塞体にあっては、追加閉塞体２３は、側板１４の上方に配置される閉塞板２４と、閉塞板２４の前後端部の少なくとも一方が挿入される保持体２５と、から構成され、保持体２５への閉塞板２４の挿入量を調整することで、追加閉塞体２３の前後幅寸法を変更することで、追加閉塞体２３の前後幅寸法を前後幅寸法の異なる各種引出１０の側板１４の前後幅寸法に合わせることができるので、引出毎に引出１０の側板１４の前後幅寸法に合う新たな追加閉塞体２３を製作するコストを抑えて側板１４の上方空間２２を閉塞することができるばかりか、保持体２５への閉塞板２４の挿入量を調整することで追加閉塞体２３の前後幅寸法を変更することができるので、各保持体２５と閉塞板２４との交換等のメンテナンスを容易に行うことができる。また、保持体２５から閉塞体２４を引き出すことで各保持体２５と閉塞板２４との交換等のメンテナンスを容易に行うことができる。
【００３１】
また、保持体２５は透光性を有するので、保持体２５への閉塞板２４の挿入量を視認することができ、追加閉塞体２３の前後幅寸法の調整を容易に行うことができる。
【００３２】
また、側板１４の上方には、前後方向を向く支持棒１８が引出１０の前板１６と後板１５との間に亘って設けられており、保持体２５は支持棒１８に支持されるので、追加閉塞体２３を保持体２５を介して支持棒１８に確実に支持させることができる。
【００３３】
また、保持体２５は、閉塞板２４の前端部を保持する前端部側保持体２６と、閉塞板２４の後端部を保持する後端部側保持体２７と、を備えるので、閉塞板２４は前端部と後端部とを前端部側保持体２６と後端部側保持体２７とを介して支持棒１８に支持されるので、上下方向に揺動することなく側板１４の上方空間２２を安定して閉塞することができる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、閉塞本体を板状の閉塞板２４として構成したが、閉塞本体を前後方向を向く複数本の棒材によって構成して、追加閉塞体２３の軽量化を図ってもよい。
【００３６】
また、前記実施例では、引出１０が設けられるキャビネットを家庭内のキッチンに設けられるシステムキッチン１として説明したが、引出１０が設けられるキャビネットは、脱衣場等に設けられる洗面台や、衣装箪笥等であってもよい。
【００３７】
また、前記実施例では、前端部側保持体２６と後端部側保持体２７とのフック部３０を支持棒１８に吊持させるとともに、嵌合凹部３１を側板１４の上端部に嵌合させることで上方空間２２に閉塞板２４を配置したが、前端部側保持体２６と後端部側保持体２７とのフック部３０を支持棒１８に吊持させるのみ、または、前端部側保持体２６と後端部側保持体２７との嵌合凹部３１を側板１４の上端部に嵌合させるのみで上方空間２２に閉塞板２４の配置を行ってもよい。
【符号の説明】
【００３８】
１                システムキッチン（キャビネット）
１０              引出
１４              側板
１８              支持棒
２２              上方空間
２３              追加閉塞体
２４              閉塞板（閉塞本体）
２５              保持体
２６              前端部側保持体
２７              後端部側保持体
２８，２９        挿入孔
３０              フック部
３１              嵌合凹部
Ｓ                収納空間
【図１】
2010220707.tif 000003
【図２】
2010220707.tif 000004
【図３】
2010220707.tif 000005
【図４】
2010220707.tif 000006